(57)【特許請求の範囲】
【請求項１】
通信ネットワークを介して、電源がＯＮになっている１以上の負荷装置又は前記１以上の負荷装置の電力消費状況を管理する管理装置から、前記１以上の負荷装置のそれぞれの識別情報を取得する情報取得部と、
複数の電力供給装置のうちの第１の電力供給装置、又は複数の電力供給者のうちの第１の電力供給者により前記１以上の負荷装置に提供可能な電力量に基づいて、前記識別情報により識別される前記１以上の負荷装置の中から、前記第１の電力供給装置、又は前記第１の電力供給者により電力を提供されているものとして扱われうる少なくとも１つの負荷装置を選定する選定部と、
前記選定部により選定された負荷装置において消費される電力を、前記第１の電力供給装置、又は前記第１の電力供給者により提供されている電力として扱うことを決定する開始決定部と、
前記第１の電力供給装置、又は前記第１の電力供給者により電力が提供されていると扱われている負荷装置において消費される電力を、前記第１の電力供給装置、又は前記第１の電力供給者により提供されている電力として扱わないことを決定する終了決定部と、
前記終了決定部により、前記第１の電力供給装置、若しくは前記第１の電力供給者により電力が提供されていると扱わないことを決定された負荷装置、又は前記管理装置に対して、当該負荷装置において、前記第１の電力供給装置、若しくは前記第１の電力供給者から電力が提供されていると扱われていた期間に消費された電力量を決定するための処理を実行させるための要求を送信する要求送信部と、
を備え、
前記１以上の負荷装置のそれぞれには、前記複数の電力供給装置、又は前記複数の電力供給者からの電力が供給されており、
前記複数の電力供給装置のそれぞれは、発電設備、蓄電設備、又はこれらの組み合わせであり、
前記終了決定部により、前記第１の電力供給装置、又は前記第１の電力供給者から電力を提供されていると扱わないことを決定された負荷装置において消費された、前記電力量を決定するための処理は、
前記第１の電力供給装置、又は前記第１の電力供給者から電力が提供されていると扱われていた期間における消費電力量を送信する処理、
前記開始決定部により、前記第１の電力供給装置、又は前記第１の電力供給者から電力を提供されていると扱うことを決定された時点における積算消費電力量を送信する処理、又は、
前記終了決定部により、前記第１の電力供給装置、又は前記第１の電力供給者から電力を提供されていると扱わないことを決定された時点における積算消費電力量を送信する処理である、
電力管理システム。
【請求項２】
前記情報取得部は、前記１以上の負荷装置の少なくとも１つの電源がＯＦＦになった場合に、電源がＯＦＦになった負荷装置の識別情報を取得し、
前記終了決定部は、前記電源がＯＦＦになった負荷装置の識別情報により識別される負荷装置において消費される電力を、前記第１の電力供給装置、又は前記第１の電力供給者により提供されている電力として扱わないことを決定する
請求項１に記載の電力管理システム。
【請求項３】
前記要求送信部は、前記開始決定部により前記第１の電力供給装置、若しくは前記第１の電力供給者から電力を提供されていると扱うことが決定された負荷装置、又は前記管理装置に対して、当該負荷装置において、前記第１の電力供給装置、若しくは前記第１の電力供給者から電力が提供されていると扱われていた期間に消費された電力量を決定するための処理を実行させるための要求を送信する、
請求項１又は請求項２に記載の電力管理システム。
【請求項４】
前記開始決定部により、前記第１の電力供給装置、又は前記第１の電力供給者から電力を提供されていると扱うことを決定された負荷装置において消費された、前記電力量を決定するための処理は、
前記第１の電力供給装置、若しくは前記第１の電力供給者から電力が提供されていると扱われている間、予め定められた時刻における積算消費電力量を送信する処理、又は、
前記第１の電力供給装置、若しくは前記第１の電力供給者から電力が提供されていると扱われている間、予め定められた時間間隔で積算消費電力量を送信する処理である、
請求項３に記載の電力管理システム。
【請求項５】
前記開始決定部は、前記第１の電力供給装置、又は前記第１の電力供給者により供給することができる電力の予測値と、前記１以上の負荷装置において消費される電力の予測値とに基づいて、前記選定部により選定された負荷装置において消費される電力を、前記第１の電力供給装置、又は前記第１の電力供給者により提供されている電力として扱うか否かを決定する、
請求項１から請求項４までの何れか一項に記載の電力管理システム。
【請求項６】
前記終了決定部は、前記第１の電力供給装置、又は前記第１の電力供給者により供給することができる電力の予測値と、前記１以上の負荷装置において消費される電力の予測値とに基づいて、前記第１の電力供給装置、又は前記第１の電力供給者により電力が提供されていると扱われている負荷装置において消費される電力を、前記第１の電力供給装置、又は前記第１の電力供給者により提供されている電力として扱うか否かを決定する、
請求項１から請求項５までの何れか一項に記載の電力管理システム。
【請求項７】
予め定められたイベントの発生を検出するイベント検出部を更に備え、
前記選定部は、前記イベント検出部が前記予め定められたイベントの発生を検出した場合に、前記第１の電力供給装置、又は前記第１の電力供給者により電力を提供される少なくとも１つの負荷装置を選定する、
請求項１から請求項６までの何れか一項に記載の電力管理システム。
【請求項８】
前記予め定められたイベントは、予め定められた期間が経過したことを含み、
前記予め定められた期間は、前記第１の電力供給装置、又は前記第１の電力供給者における発電量の変動に基づいて設定される、
請求項７に記載の電力管理システム。
【請求項９】
前記１以上の負荷装置のそれぞれの識別情報と、前記選定部により選定されていた期間に関する情報と、前記期間における電力消費量と、前記期間における電力の単価とが対応付けられた利用履歴を格納する利用履歴格納部を更に備える、
請求項１から請求項８までの何れか一項に記載の電力管理システム。
【請求項１０】
他の発電事業者から電力を調達する電力調達部を更に備え、
前記選定部は、前記電力調達部が調達することのできる電力量を含む、前記１以上の負荷装置に提供可能な電力量に基づいて、前記電力が提供される少なくとも１つの負荷装置を選定する、
請求項１から請求項９までの何れか一項に記載の電力管理システム。
【請求項１１】
前記１以上の負荷装置に関する情報、及び前記１以上の負荷装置の利用状況に関する情報の少なくとも一方を収集する情報収集部と、
１以上の広告情報を格納する広告情報格納部と、
前記情報収集部により収集された情報に基づいて、前記１以上の広告情報のうち、前記１以上の負荷装置の少なくとも１つのユーザに適した情報を抽出する抽出部と、
抽出部により抽出された広告情報を前記ユーザに送信する広告送信部と、
を更に備える、
請求項１から請求項１０までの何れか一項に記載の電力管理システム。
【請求項１２】
前記管理装置を備える、
請求項１から請求項１１までの何れか一項に記載の電力管理システム。
【請求項１３】
コンピュータを、請求項１から請求項１２までの何れか一項に記載の電力管理システムとして機能させるためのプログラム。
【発明の詳細な説明】
【技術分野】
【０００１】
本発明は、電力管理システム及びプログラムに関する。
【背景技術】
【０００２】
電力消費量及び発電量を比較して、電力消費量が発電量を超えることが予想される場合に、電気機器への電力の供給を制限するシステムが知られている（例えば、特許文献１〜４参照）。
［先行技術文献］
［特許文献］
［特許文献１］特表２０１３−５１３３５３号公報
［特許文献２］特開２００２−３６９３８５号公報
［特許文献３］特開２０１３−１８３５８３号公報
［特許文献４］特開２０１２−０２３８２４号公報
【発明の概要】
【発明が解決しようとする課題】
【０００３】
複数の電力供給者が存在する場合においては、特定の電力供給者の発電量が不足する場合であっても、電力供給者を切り替えることができれば、電力需要者の利便性が飛躍的に向上する。
【課題を解決するための手段】
【０００４】
本発明の第１の態様においては、通信ネットワークを介して、電源がＯＮになっている１以上の負荷装置又は１以上の負荷装置の電力消費状況を管理する管理装置から、１以上の負荷装置のそれぞれの識別情報を取得する情報取得部と、１以上の負荷装置に提供可能な電力量に基づいて、識別情報により識別される１以上の負荷装置の中から、電力を提供される少なくとも１つの負荷装置を選定する選定部と、選定部により選定された負荷装置の少なくとも１つに対して電力の提供を開始することを決定する開始決定部と、１以上の負荷装置の少なくとも１つに対して電力の提供を終了することを決定する終了決定部と、終了決定部により電力の提供を終了することが決定された負荷装置又は管理装置に対して、電力の提供を終了することが決定された負荷装置に電力が提供されていた期間に消費された電力量を決定するための処理を実行させるための要求を送信する要求送信部とを備える、電力管理システムが提供される。
【０００５】
本発明の第２の態様においては、コンピュータを、上記の電力管理システムとして機能させるためのプログラムが提供される。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】管理システム１００の一例を概略的に示す。
【図２】管理サーバ１２２の一例を概略的に示す。
【図３】電力提供管理部２１６の一例を概略的に示す。
【図４】配信部２２８の一例を概略的に示す。
【図５】需要者端末１５２の一例を概略的に示す。
【図６】データテーブル６００の一例を概略的に示す。
【図７】データテーブル７００の一例を概略的に示す。
【図８】データテーブル８００の一例を概略的に示す。
【図９】データテーブル９００の一例を概略的に示す。
【図１０】データテーブル１０００の一例を概略的に示す。
【図１１】管理サーバ１２２における処理の一例を概略的に示す。
【発明を実施するための形態】
【０００８】
以下、発明の実施の形態を通じて本発明の一側面を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の参照番号を付して、重複する説明を省く場合がある。また、本願明細書において、「時間」という用語は、時刻を表す場合もあれば、期間を表す場合もある。
【０００９】
図１は、管理システム１００の一例を概略的に示す。図１において、供給者サイト１０２は発電事業者の敷地を示し、需要者サイト１０４は電力需要者の敷地を示す。本実施形態において、供給者サイト１０２には、管理サーバ１２２及び電力供給装置１２４が配される。また、需要者サイト１０４には、電気機器１３２と、電気機器１３４と、分電装置１４２と、電力量計１４４と、需要者端末１５２と、ゲートウェイ１５４とが配される。
【００１０】
本実施形態において、管理システム１００は、管理サーバ１２２及び需要者端末１５２を備える。管理システム１００及び管理サーバ１２２のそれぞれは、電力管理システムの一例であってよい。需要者端末１５２は、管理装置の一例であってよい。電気機器１３２及び電気機器１３４のそれぞれは、１以上の負荷装置の一例であってよい。
【００１１】
本実施形態において、管理サーバ１２２及び電力供給装置１２４が同一の敷地内に配される場合を例として、管理システム１００について説明する。しかし、管理システム１００は本実施形態には限定されない。他の実施形態において、管理サーバ１２２及び電力供給装置１２４は、別の敷地内に配されてもよい。
【００１２】
管理サーバ１２２は、通信ネットワーク１２を介して、需要者サイト１０４に配された設備との間で情報を送受する。通信ネットワーク１２としては、無線通信の伝送路、有線通信の伝送路及びこれらの組み合わせを例示することができる。通信ネットワーク１２は、携帯電話回線網などの移動体通信網、無線パケット通信網、インターネット及び専用回線又はこれらの組み合わせであってよい。管理サーバ１２２は、電力供給装置１２４との間で情報を送受してもよい。管理サーバ１２２は、専用回線を介して情報を送受してもよく、通信ネットワーク１２を介して情報を送受してもよい。
【００１３】
管理サーバ１２２は、１以上の需要者サイト１０４のそれぞれにおいて消費される電力の提供先を管理する。本実施形態において、管理サーバ１２２は、電気機器１３２及び電気機器１３４のそれぞれにより消費される電力の提供先を管理する。管理サーバ１２２は、電気機器１３２及び電気機器１３４のそれぞれにより消費された電力又は電力量のうち、供給者サイト１０２から供給されたものとして扱う電力又は電力量を記録することで、電力の提供先を管理してよい。
【００１４】
例えば、電気機器１３２のユーザが、電気機器１３２の電源をＯＮにした場合、電気機器１３２は、電気機器１３２の電源がＯＮになったことを示す情報を管理サーバ１２２に送信する。管理サーバ１２２は、電気機器１３２からの上記情報を受信した後、任意のタイミングにおいて、供給者サイト１０２により供給することができる電力の予測値と、１以上の需要者サイト１０４において消費される電力の予測値とに基づいて、電気機器１３２への電力の提供を開始するか否かを決定する。より具体的には、管理サーバ１２２は、電気機器１３２において消費される電力を、供給者サイト１０２により提供されている電力として扱うか否かを決定する。管理サーバ１２２は、電気機器１３２への電力の提供を開始することを決定した場合、当該電力の提供が開始される時刻を記録する。
【００１５】
同様にして、管理サーバ１２２は、任意のタイミングにおいて、供給者サイト１０２により供給することができる電力の予測値と、１以上の需要者サイト１０４において消費される電力の予測値とに基づいて、電気機器１３２への電力の提供を終了するか否かを決定する。より具体的には、管理サーバ１２２は、電気機器１３２において消費される電力を、供給者サイト１０２により提供されている電力として扱うか否かを決定する。管理サーバ１２２は、電気機器１３２への電力の提供を終了することを決定した場合、当該電力の提供が終了する時刻を記録する。
【００１６】
電力供給装置１２４により電力ネットワーク１４に供給された電力は、他の供給者サイトから供給される電力とともに需要者サイト１０４に送電される。そのため、現実には、電気機器１３２において消費される電力の供給者を特定することはできない。しかし、管理サーバ１２２において、電気機器１３２への電力の提供が開始される時刻と、電気機器１３２への電力の提供が終了する時刻とを記録しておくことで、電気機器１３２において消費された電力量のうち、供給者サイト１０２により提供された電力量を特定することができる。
【００１７】
複数の電力供給者が存在する場合において、電気機器１３２に電力を提供する電力供給者を切り替えるためには、電気料金を精算する目的で、複数の電力供給者のそれぞれが、電気機器１３２に電力を提供していた期間又は当該期間における消費電力量を特定する必要がある。本実施形態によれば、電気機器１３２に電力を提供していた期間又は当該期間における消費電力量を特定することができるので、電気機器１３２に電力を提供する電力供給者を切り替えた場合であっても、電気料金を容易に精算することができる。さらに、本実施形態によれば、供給者サイト１０２により供給することができる電力に応じて、電力を提供する１以上の電気機器を選定した後、１以上の電気機器に電力を提供する。これにより、電力供給装置１２４が、太陽光発電設備、風力発電設備などの発電量が比較的不安定な発電設備を備えている場合であっても、発電した電力を有効に利用することができる。１以上の電気機器は、負荷装置の一例であってよい。
【００１８】
なお、管理サーバ１２２は、電力供給装置１２４により供給される電力の提供先を管理してもよく、他の電力供給者から購入した電力の提供先を管理してもよい。電力供給装置１２４により供給される電力の提供先は、１以上の需要者サイト１０４であってもよく、他の電力供給者であってもよい。ここで、他の電力供給者に電力を提供するとは、電力ネットワーク１４を介して、現実に他の電力供給者の供給者サイトに電力を送電する場合だけでなく、帳簿上、他の電力供給者に電力を提供したと扱う場合を含む。
【００１９】
他の実施形態において、管理サーバ１２２は、供給者サイト１０２により供給することができる電力を、他の供給者サイトに設置された他の管理サーバにより管理される電気機器に対して提供するか否かを管理してもよい。例えば、管理サーバ１２２は、他の供給者サイトに設置された管理サーバから、当該管理サーバにより管理される電気機器のうち、電源がＯＮになっており、当該他の供給者により電力を提供されていない機器に関する情報を取得する。管理サーバ１２２は、管理サーバ１２２により管理される電気機器に対して電力を提供しても余剰電力が発生することが見込まれる場合に、他の供給者サイトに設置された管理サーバから取得した情報と、当該余剰電力に関する情報とに基づいて、他の供給者サイトに設置された管理サーバに管理される電気機器の中から、電力を提供する機器を決定してよい。このように、管理サーバ１２２は、管理される電気機器に対して優先順位を設けてもよい。
【００２０】
管理サーバ１２２の各部は、ハードウエアにより実現されてもよく、ソフトウエアにより実現されてもよく、ハードウエアとソフトウエアとの組み合わせにより実現されてもよい。また、プログラムが実行されることにより、コンピュータが、管理サーバ１２２の一部として機能してもよい。プログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。プログラムは、コンピュータ読み取り可能な媒体又はネットワークに接続された記憶装置から、管理サーバ１２２のコンピュータにインストールされてよい。
【００２１】
コンピュータを管理サーバ１２２の一部として機能させるプログラムは、管理サーバ１２２の各部の動作を規定したモジュールを備えてよい。これらのプログラム又はモジュールは、プロセッサ、通信インターフェース、ＧＰＳ情報取得装置等に働きかけて、コンピュータを管理サーバ１２２の各部として機能させたり、コンピュータに管理サーバ１２２における情報処理方法を実行させたりする。
【００２２】
これらのプログラムに記述された情報処理は、コンピュータに読込まれることにより、ソフトウエアと、管理サーバ１２２の各種のハードウエア資源とが協働した具体的手段として機能する。そして、これらの具体的手段によって、本実施形態におけるコンピュータの使用目的に応じた情報の演算又は加工を実現することにより、使用目的に応じた管理サーバ１２２を構築することができる。
【００２３】
管理サーバ１２２として用いられるコンピュータは、ＣＰＵ等のプロセッサ、ＲＯＭ、ＲＡＭ、通信インターフェースなどを有するデータ処理装置と、キーボード、タッチパネル、マイク、ＧＰＳ情報取得装置などの入力装置と、表示装置、スピーカなどの出力装置と、メモリ、ＨＤＤなどの記憶装置とを備えてよい。データ処理装置又は記憶装置は、上記のソフトウエア又はプログラムを記憶してよい。
【００２４】
電力供給装置１２４は、電力ネットワーク１４を介して、需要者サイト１０４に配された設備に電力を供給する。電力供給装置１２４は、発電設備、蓄電設備又はこれらの組み合わせであってよい。発電設備としては、火力発電設備、水力発電設備、地熱発電設備、太陽光発電設備、風力発電設備及びこれらの組み合わせを例示することができる。
【００２５】
電気機器１３２及び電気機器１３４のそれぞれは、電力を消費する機器であればよく、特に限定されない。電気機器１３２及び電気機器１３４の少なくとも一方は、消費電力又は消費電力量を記録する機能を有してもよい。電気機器１３２及び電気機器１３４の少なくとも一方は、時間に関する情報と、当該時間における消費電力又は消費電力量とを対応付けて記録してもよく、時間に関する情報と、当該時間における積算消費電力量とを対応づけて記録してもよい。電気機器１３２及び電気機器１３４の少なくとも一方は、管理サーバ１２２からの要求に応じて、消費電力又は消費電力量を記録してもよく、予め定められた時刻の到来又は予め定められた期間の経過に伴って、消費電力又は消費電力量を記録してもよい。
【００２６】
本実施形態において、電気機器１３２は、ゲートウェイ１５４を介して、管理サーバ１２２との間で情報を送受する。電気機器１３４は、需要者端末１５２及びゲートウェイ１５４を介して、管理サーバ１２２との間で情報を送受する。電気機器１３２及び電気機器１３４のそれぞれは、管理サーバ１２２から配信される広告情報を出力してもよい。電気機器１３２及び電気機器１３４のそれぞれは、広告情報を表示画面に表示してもよく、広告情報をスピーカから音声として出力してもよい。
【００２７】
分電装置１４２は、電力ネットワーク１４から受電した電気を電気機器１３２及び電気機器１３４のそれぞれに分配する。電力量計１４４は、電力ネットワーク１４と分電装置１４２との間に配され、需要者サイト１０４における消費電力量を記録する。電力量計１４４は、時間に関する情報と、当該時間における消費電力とを対応付けて記録してもよく、時間に関する情報と、当該時間における積算消費電力量とを対応づけて記録してもよい。本実施形態において、電力量計１４４は、記録した情報を、定期的に需要者端末１５２に送信する。電力量計１４４は、ＥＣＨＯＮＥＴ  Ｌｉｔｅ規格に対応したスマートメータであってもよい。
【００２８】
需要者端末１５２は、電気機器１３４と管理サーバ１２２との間の情報の送受を中継する。需要者端末１５２は、無線通信により上記の情報を送受してもよく、有線通信により上記の情報を送受してもよい。本実施形態において、需要者端末１５２は、電気機器１３４との間で情報を送受する。また、需要者端末１５２は、電力量計１４４との間で情報を送受する。需要者端末１５２は、ゲートウェイ１５４及び通信ネットワーク１２を介して、管理サーバ１２２との間で情報を送受する。
【００２９】
需要者端末１５２は、需要者サイト１０４における電力の利用を管理してもよい。需要者端末１５２は、需要者サイト１０４に配された電気機器、発電機器、蓄電機器などにおける電力の利用状況に関する情報を収集する。例えば、需要者端末１５２は、需要者サイト１０４に配された１以上の電気機器のそれぞれについて、特定の時刻を基準とした場合の積算消費電力量を収集する。需要者端末１５２は、需要者サイト１０４に配された１以上の電気機器のそれぞれについて、特定の期間において消費された電力量を収集してもよい。
【００３０】
需要者端末１５２は、管理サーバ１２２からの要求に応じて、需要者サイト１０４における電力の利用状況に関する情報を収集してもよい。需要者端末１５２は、予め定められた時刻の到来又は予め定められた期間の経過に伴って、需要者サイト１０４における電力の利用状況に関する情報を収集してもよい。
【００３１】
予め定められた時刻又は予め定められた期間は、同時同量を達成すべき期間に基づいて決定されてもよい。同時同量制度においては、特定の期間（同時同量を達成すべき期間と称する場合がある。）における実発電量の合計値と実需要量の合計値とのそれぞれを一致させることが要求される。特定の期間は、例えば３０分に設定される。需要者端末１５２が、予め定められた時刻の到来又は予め定められた期間の経過に伴って、需要者サイト１０４における電力の利用状況に関する情報を収集することにより、同時同量を達成すべき期間における実需要量に関する情報を取得することができる。取得された実需要量に関する情報は、将来の需要電力量の予測に利用されてもよい。
【００３２】
需要者端末１５２は、管理サーバ１２２からの要求に応じて、収集した情報を管理サーバ１２２に送信してよい。需要者端末１５２は、収集した情報を一旦記憶しておき、任意のタイミングで管理サーバ１２２に送信してもよい。需要者端末１５２は、収集した情報を、予め定められた期間の間におけるランダムなタイミングにおいて、管理サーバ１２２に送信してもよい。例えば、需要者端末１５２は、１２時２９分に収集したデータを記憶しておき、１２時３０分から１２時３５分までの間でランダムに決定された時刻において、当該データを管理サーバ１２２に送信する。これにより、管理サーバ１２２におけるデータ処理を円滑化することができる。
【００３３】
需要者端末１５２は、管理サーバ１２２からの要求に応じて、需要者サイト１０４に配された電気機器への電力の供給を制御してもよい。例えば、需要者端末１５２が管理サーバ１２２から節電要請を受信した場合、需要者端末１５２は、電力の供給を現実に停止又は減少させる電気機器を決定する。需要者端末１５２は、上記の決定に従って、電気機器に対する電力の供給を停止又は減少させる。
【００３４】
需要者端末１５２の各部は、ハードウエアにより実現されてもよく、ソフトウエアにより実現されてもよく、ハードウエアとソフトウエアとの組み合わせにより実現されてもよい。また、管理サーバ１２２の場合と同様に、プログラムが実行されることにより、コンピュータが、需要者端末１５２の一部として機能してもよい。需要者端末１５２は、ＥＣＨＯＮＥＴ  Ｌｉｔｅ規格に対応した機器であってもよい。需要者端末１５２は、ゲートウェイ１５４と、電気機器１３４との間に配される機器であってもよく、コンセントと、電気機器１３４との間に配される機器であってもよい。需要者端末１５２は、ＨＥＭＳ（Ｈｏｍｅ  Ｅｎｅｒｇｙ  Ｍａｎａｇｅｍｅｎｔ  Ｓｙｓｔｅｍ）又はＢＥＭＳ（Ｂｕｉｌｄｉｎｇ  Ｅｎｅｒｇｙ  Ｍａｎａｇｅｍｅｎｔ  Ｓｙｓｔｅｍｓ）を制御する機器であってもよい。
【００３５】
本実施形態において、電気機器１３２、電気機器１３４、電力量計１４４及び需要者端末１５２が、ゲートウェイ１５４を介して通信ネットワーク１２に接続される場合について説明した。しかし、上記の機器は本実施形態に限定されない。他の実施形態において、電気機器１３２、電気機器１３４、電力量計１４４及び需要者端末１５２の少なくとも１つが、無線通信機能を有し、無線ＬＡＮのアクセスポイント、移動体通信網の基地局などを介して、通信ネットワーク１２に接続されてもよい。また、電気機器１３２、電気機器１３４、電力量計１４４及び需要者端末１５２の少なくとも１つが、ゲートウェイ１５４の機能を兼ね備えてもよい。
【００３６】
図２は、管理サーバ１２２の一例を概略的に示す。本実施形態において、管理サーバ１２２は、供給量予測部２１２と、機器情報取得部２１４と、電力提供管理部２１６と、要求送信部２１８と、利用履歴生成部２２２と、情報格納部２２４と、電力融通部２２６と、配信部２２８とを備える。機器情報取得部２１４は、情報取得部の一例であってよい。電力提供管理部２１６は、選定部、開始決定部又は終了決定部の一例であってよい。電力融通部２２６は、電力調達部の一例であってよい。
【００３７】
供給量予測部２１２は、特定の期間において、供給者サイト１０２から提供することのできる電力又は電力量を予測する。例えば、将来の３０分間における電力又は電力量を予測する。供給量予測部２１２は、天気予報などの情報に基づいて事前に予測した発電量と、電力供給装置１２４から取得した直近の実発電量とに基づいて、上記の電力又は電力量を予測してよい。供給量予測部２１２は、さらに、電力融通部２２６から取得した外部の電力供給者から調達できる電力又は電力量を考慮して、上記の電力又は電力量を予測してもよい。
【００３８】
機器情報取得部２１４は、電気機器１３２及び電気機器１３４に関する情報を取得する。機器情報取得部２１４は、電気機器１３２及び電気機器１３４の電力の利用状況に関する情報を取得する。機器情報取得部２１４は、ユーザから入力された情報、各電気機器の製造者により提供される情報を取得して、各電気機器の仕様に関する情報を取得してもよい。本実施形態において、機器情報取得部２１４は、通信ネットワーク１２を介して、電気機器１３２に関する情報を電気機器１３２から取得する。機器情報取得部２１４は、通信ネットワーク１２を介して、電気機器１３４に関する情報を需要者端末１５２から取得する。
【００３９】
本実施形態において、機器情報取得部２１４は、電源がＯＮになっている電気機器の識別情報が格納されたデータテーブル（エントリ機器リストと称する場合がある。）を生成する。エントリ機器リストは、特定の期間の間において、管理サーバ１２２に対して、電源がＯＮになったことを示す情報又は電源がＯＦＦになったことを示す情報を送信した電気機器のリストであってもよい。エントリ機器リストは、管理サーバ１２２が管理する全ての電気機器のリストであってもよく、現在、電源がＯＮになっている電気機器のリストであってもよい。
【００４０】
例えば、機器情報取得部２１４は、電気機器１３２の電源がＯＮになった場合に、電気機器１３２から、電気機器１３２の識別情報と電源の状態を示す情報とを含む通知を受信する。この場合、機器情報取得部２１４は、エントリ機器リストに電気機器１３２の識別情報が含まれているか否かを確認する。エントリ機器リストに電気機器１３２の識別情報が含まれている場合、エントリ機器リストを更新して、当該識別情報により識別される電気機器の電源がＯＮであることを示す情報を追加する。エントリ機器リストに電気機器１３２の識別情報が含まれていない場合、エントリ機器リストは、エントリ機器リストを更新して、電気機器１３２の識別情報と、当該識別情報により識別される電気機器の電源がＯＮであることを示す情報とを追加する。
【００４１】
一方、機器情報取得部２１４は、電気機器１３２の電源がＯＦＦになった場合に、電気機器１３２から、電気機器１３２の識別情報と電源の状態を示す情報とを含む通知を受信する。この場合、機器情報取得部２１４は、エントリ機器リストに電気機器１３２の識別情報が含まれているか否かを確認する。エントリ機器リストに電気機器１３２の識別情報が含まれている場合、エントリ機器リストを更新して、当該識別情報により識別される電気機器の電源がＯＦＦであることを示す情報を追加する。エントリ機器リストに電気機器１３２の識別情報が含まれていない場合、エントリ機器リストは、エントリ機器リストを更新して、電気機器１３２の識別情報と、当該識別情報により識別される電気機器の電源がＯＦＦであることを示す情報とを追加する。これにより、各電気機器の電源がＯＦＦである期間に関する情報の解析を効率よく実行することができる。
【００４２】
なお、エントリ機器リストが現在、電源がＯＮになっている電気機器のリストである場合、エントリ機器リストは、例えば下記の手順により更新されてよい。まず、電気機器１３２の電源がＯＮになった場合に、機器情報取得部２１４が、電気機器１３２の識別情報と電源の状態を示す情報とを含む通知を受信する。機器情報取得部２１４は、エントリ機器リストに当該識別情報を追加する。電気機器１３２の電源がＯＦＦになった場合に、機器情報取得部２１４が、電気機器１３２の識別情報と電源の状態を示す情報とを含む通知を受信する。機器情報取得部２１４は、エントリ機器リストから電気機器１３２の識別情報を削除する。
【００４３】
同様に、機器情報取得部２１４は、電気機器１３４の電源がＯＮになった場合に、需要者端末１５２から、電気機器１３４の識別情報を含む通知を受信する。機器情報取得部２１４は、電気機器１３４の電源がＯＦＦになった場合に、需要者端末１５２から、電気機器１３４の識別情報を含む通知を受信する。機器情報取得部２１４は、電気機器１３４の識別情報を含む通知を受信したことに応じて、エントリ機器リストを更新する。
【００４４】
電力提供管理部２１６は、１以上の需要者サイト１０４のそれぞれにおいて消費される電力の提供先を管理する。本実施形態において電力提供管理部２１６は、電気機器１３２及び電気機器１３４のそれぞれにより消費される電力の提供先を管理する。電力提供管理部２１６は、電気機器１３２及び電気機器１３４のそれぞれにより消費された電力又は電力量のうち、供給者サイト１０２から供給されたものとして扱う電力又は電力量を記録することで、電力の提供先を管理してよい。
【００４５】
電力提供管理部２１６は、機器情報取得部２１４から、電気機器１３２又は電気機器１３４の電源がＯＮになったことを示す情報を受信する。電力提供管理部２１６は、機器情報取得部２１４から、電気機器１３２又は電気機器１３４の電源がＯＦＦになったことを示す情報を受信する。電力提供管理部２１６は、電気機器１３２又は電気機器１３４への電力の提供を開始するか否かを決定する。電力提供管理部２１６は、電気機器１３２又は電気機器１３４への電力の提供を終了するか否かを決定する。
【００４６】
本実施形態において、電力提供管理部２１６は、電気機器１３２に対して電力の提供を開始することを決定した場合、電気機器１３２の識別情報を利用履歴生成部２２２に通知する。また、電力提供管理部２１６は、電気機器１３２に対して電力の提供を終了することを決定した場合、電気機器１３２の識別情報を利用履歴生成部２２２に通知する。同様に、電力提供管理部２１６は、機器情報取得部２１４から電気機器１３２の電源がＯＦＦになったことを示す情報を受信した場合、電気機器１３２の識別情報を利用履歴生成部２２２に通知する。電力提供管理部２１６は、電気機器１３４についても同様の処理を実行する。
【００４７】
要求送信部２１８は、電気機器１３２及び需要者端末１５２に対して、各種の要求を送信する。例えば、電力提供管理部２１６が電気機器１３２への電力の提供を終了することを決定した場合、要求送信部２１８は、電気機器１３２に対して、電気機器１３２に電力が提供されていた期間に消費された電力量を決定するための処理を実行させるための要求を生成する。電気機器１３２に電力が提供されていた期間は、電力の提供が開始されてから電力の提供が終了するまでの期間であってよい。要求送信部２１８は、生成された要求を電気機器１３２に送信する。
【００４８】
要求送信部２１８は、電力提供管理部２１６が電気機器１３２への電力の提供を開始することを決定した場合に、電気機器１３２に対して、電気機器１３２に電力が提供されていた期間に消費された電力量を決定するための処理を実行させるための要求を生成し、当該要求を電気機器１３２に送信してもよい。
【００４９】
電気機器１３２に電力が提供されていた期間に消費された電力量を決定するための処理は、電気機器１３２に電力が提供されていた期間に消費された電力量を決定する処理の少なくとも一部を構成する処理であってよい。電気機器１３２に電力が提供されていた期間に消費された電力量を決定するための処理としては、電力の提供が開始されてから電力の提供が終了するまでの期間における消費電力量を送信させる処理、電力の提供が開始された時点における積算消費電力量を送信させる処理、電力の提供が終了した時点における積算消費電力量を送信させる処理、電力の提供が開始されてから電力の提供が終了するまでの間、予め定められた時刻における積算消費電力量を送信させる処理、電力の提供が開始されてから電力の提供が終了するまでの間、予め定められた時間間隔で積算消費電力量を送信させる処理、などを例示することができる。
【００５０】
利用履歴生成部２２２は、電気機器１３２及び電気機器１３４のそれぞれにつき、利用履歴を生成する。本実施形態において、利用履歴生成部２２２は、電力提供管理部２１６から、電気機器１３２及び電気機器１３４を含む複数の電気機器における電力の利用状況に関する情報を取得する。利用履歴生成部２２２は、供給者サイト１０２により電力を提供される電気機器の識別情報が格納されたデータテーブル（電力提供機器リストと称する場合がある。）を生成してよい。
【００５１】
電力提供機器リストは、例えば、下記の手順により更新される。電力提供管理部２１６が、電気機器１３２に対して電力の提供を開始することを決定した場合、利用履歴生成部２２２は、電力提供機器リストを参照して、電気機器１３２の識別情報に対応付けて、電力の提供が開始された時刻に関する情報を格納する。一方、電力提供管理部２１６が、電気機器１３２に対して電力の提供を終了することを決定した場合、利用履歴生成部２２２は、電力提供機器リストを参照して、電気機器１３２の識別情報に対応付けて、電力の提供が終了した時刻に関する情報を格納する。
【００５２】
電力提供管理部２１６から、電気機器１３２の電源がＯＦＦになったことを示す情報を受信した場合、利用履歴生成部２２２は、電力提供機器リストを参照して、電気機器１３２の識別情報に対応付けて、当該情報を受信した時刻を、電力の提供が終了した時刻として格納してもよい。なお、当該情報が、電気機器１３２の電源がＯＦＦになった時刻に関する情報を含む場合には、利用履歴生成部２２２は、電力提供機器リストを参照して、電気機器１３２の識別情報に対応付けて、当該情報に含まれる時刻を、電力の提供が終了した時刻として格納してもよい。なお、他の実施形態において、電力の提供が開始された時刻は、電力の提供が開始される時刻であってもよく、電力の提供が終了した時刻は、電力の提供が終了する時刻であってもよい。
【００５３】
他の実施形態において、利用履歴生成部２２２は、電力提供管理部２１６から、電力を提供される電気機器の選定結果に関する情報を取得する。選定結果には、選定された電気機器の識別情報が含まれる。利用履歴生成部２２２は、選定結果に含まれる識別情報を利用して、電力提供機器リストを更新してよい。
【００５４】
電力提供機器リストは、電気機器１３２及び電気機器１３４のそれぞれの識別情報と、供給者サイト１０２により電力を提供されていた期間に関する情報と、当該期間における電力消費量と、当該期間における電力の単価とを対応付けて格納してよい。利用履歴生成部２２２は、需要者サイト１０４の需要者に対する電力料金の精算処理を実行してもよい。供給者サイト１０２により電力を提供されていた期間に関する情報は、選定部により選定されていた期間に関する情報の一例であってよい。電力提供機器リストは利用履歴の一例であってよい。
【００５５】
情報格納部２２４は、管理サーバ１２２の各部において使用される情報を格納する。管理サーバ１２２の各部は、情報格納部２２４を参照して、各部における処理に必要な情報を抽出する。
【００５６】
電力融通部２２６は、供給者サイト１０２を管理する供給者以外の発電事業者との間で電力を融通する。電力融通部２２６は、上記の発電事業者から個別に電力を調達してもよく、電力オークション市場を通じて電力を調達してもよい。電力融通部２２６は、上記の発電事業者に個別に電力を供給してもよく、電力オークション市場を通じて電力を供給してもよい。電力融通部２２６は、例えば、電力を融通する時間、当該時間において融通する電力又は電力量及び単価を決定する。電力融通部２２６は、融通する電力に関する情報を電力提供管理部２１６に通知してよい。電力融通部２２６は、上記の情報を記録しておき、予め定められた期間ごとに、上記の発電事業者との間で精算処理を実行してよい。なお、当該精算処理は、通信ネットワーク１２に接続されたサーバ上で実行されてもよい。
【００５７】
配信部２２８は、電気機器１３２及び電気機器１３４の少なくとも一方のユーザに対して、広告情報を配信してよい。配信部２２８は、電気機器１３２及び電気機器１３４の少なくとも一方に広告情報を配信してもよく、上記のユーザの端末、携帯端末などに広告情報を配信してよい。配信部２２８は、上記のユーザがアクセスすることができるＷｅｂサイトに広告情報を配信してもよい。配信部２２８は、電気機器１３２及び電気機器１３４の仕様、利用状況などに関する情報に基づいて、配信する広告情報を選択してよい。
【００５８】
広告情報は、電気機器１３２及び電気機器１３４の少なくとも一方のユーザに対して告知される情報であれば、その内容は特に限定されない。広告情報は、広告提供者の商品又はサービスに関する情報であってもよい。商品又はサービスに関する情報は、商品又はサービスの割引情報（クーポン情報と称される場合がある。）、イベントの告知情報などであってよい。
【００５９】
商品又はサービスに関する情報の他の例としては、広告提供者が公共交通機関である場合には、広告情報は、運休情報、遅延情報、渋滞情報などであってよい。また、広告提供者が天気予報サービスを提供する事業者又は行政庁である場合には、広告情報は、局所的な豪雨、落雷、突風などに関する警報又は注意報であってよい。広告情報は、災害に関する情報であってもよい。広告情報は、特定の地域に関する情報であってもよい。広告情報は、電気機器１３２又は電気機器１３４に関する情報であってもよい。
【００６０】
図３は、電力提供管理部２１６の一例を概略的に示す。本実施形態において、電力提供管理部２１６は、イベント検出部３１２と、選定部３１４と、開始決定部３１６と、終了決定部３１８とを備える。また、本実施形態において、情報格納部２２４には、エントリ機器リスト３３２と、電力提供機器リスト３３４と、機器情報データベース３３６と、選定条件３３８とが格納されている。
【００６１】
イベント検出部３１２は、予め定められたイベントの発生を検出する。予め定められたイベントとしては、予想発電量の急増若しくは急減、予想電力消費量の急増若しくは急減、予め定められた時刻の到来、予め定められた時間の経過などを例示することができる。予め定められたイベントは、機器情報取得部２１４が、電気機器の電源がＯＮ又はＯＦＦになったことを示す情報を取得したことであってもよい。
【００６２】
予め定められた時間は、発電量の変動に基づいて設定されてよい。例えば、天候が急変することが予想される場合には、当該時間を短く設定してよい。これにより、需給バランスを良好に維持することができる。また、電力供給装置１２４が、昼間は主に太陽光発電設備により発電し、夜間は主に風力発電設備により発電する場合のように、昼間の発電量の変動と比較して夜間の発電量の変動が少ない場合には、夜間の設定値を昼間の設定値よりも長くしてよい。これにより、異なる発電方式を組み合わせて、需給バランスを良好に維持することができる。
【００６３】
選定部３１４は、イベント検出部３１２が予め定められたイベントの発生を検出した場合に、電力が提供される少なくとも１つの電気機器を選定する。本実施形態おいて、選定部３１４は、供給者サイト１０２により提供することができる電力又は電力量に基づいて、情報格納部２２４に格納されているエントリ機器リスト３３２に含まれる１以上の電気機器の中から、少なくとも１つの電気機器を選定する。選定部３１４は、選定結果を利用履歴生成部２２２に通知してよい。
【００６４】
供給者サイト１０２により提供することができる電力又は電力量は、電力融通部２２６が調達することのできる電力又は電力量を含んでもよい。選定部３１４は、さらに、電力供給装置１２４により提供可能な電力若しくは電力量及び単価と、電力融通部２２６が調達することのできる電力若しくは電力量及び単価とに基づいて、少なくとも１つの電気機器を選定してもよい。
【００６５】
本実施形態において、選定部３１４は、供給量予測部２１２により予測された電力又は電力量と、各電力機器の定格電力及び各電力機器の予測電力消費量の少なくとも１つとに基づいて、電力が提供される電気機器を選定してよい。選定部３１４は、情報格納部２２４に格納されている機器情報データベース３３６を参照して、各電力機器の定格電力及び各電力機器の予測電力消費量の少なくとも１つを取得してよい。
【００６６】
選定部３１４は、さらに情報格納部２２４に格納されている選定条件３３８に基づいて、電力が提供される電気機器を選定してもよい。選定条件３３８としては、特定の種類の電気機器に優先的に電力を提供するという条件、電力が提供される需要者サイト１０４の個数が特定の条件を満たすという条件、機器の利用状況が特定の条件を満たすという条件、特定の属性を有する需要者サイト１０４に配された機器に優先的に電力を提供するという条件などを例示することができる。
【００６７】
特定の種類の電気機器は、冷蔵庫のように、１日のうち、電源がＯＮになっている時間の割合が特定の値よりも大きな機器であってよい。これにより、消費電力予測が容易になる。その結果、電力提供機器リスト３３４の更新頻度を低減することもできる。
【００６８】
電力が提供される需要者サイト１０４の個数に関する条件としては、電力提供契約を締結している需要者サイト１０４の全体に対する、電力が提供される需要者サイト１０４の割合が特定の値よりも大きくなるという条件、電力が提供される需要者サイト１０４の個数を最大化するという条件などを例示することができる。これにより、電力の提供先が特定の顧客に偏ることを防止できる。
【００６９】
機器の利用状況に関する条件は、過去の利用状況に関する統計情報が特定の条件を満足するという条件であってよい。当該条件としては、例えば、１回あたりの平均利用時間が特定の値よりも小さい機器を優先する、特定の時間帯における利用確率が特定の値より大きい機器を優先するなどの条件を例示することができる。これにより、供給者サイト１０２の供給曲線と、１以上の需要者サイト１０４における需要曲線との差を小さくすることができる。
【００７０】
需要者サイト１０４の属性としては、供給者サイト１０２からの節電要請に協力的か否か、特定のサービスに加入しているか否か、特定のサービスの契約期間が特定の期間よりも長いか否か、特定のエリアに存在するか否か、提供された電力量の実績値が特定の条件を満足するか否かなどを例示することができる。特定のエリアは、供給者サイト１０２の近隣のエリアであってよい。例えば、供給者サイト１０２の近隣のエリアに存在する需要者サイト１０４に対して優先的に電力を供給することで、発電設備の普及又は誘致を促進させることができる。
【００７１】
開始決定部３１６は、選定部３１４により選定された電気機器の少なくとも１つに対して電力の提供を開始することを決定する。例えば、開始決定部３１６は、選定部３１４により選定された電気機器のうち、電力提供機器リスト３３４に含まれない電気機器に対して電力の提供を開始することを決定する。電力提供の開始時刻は、選定時刻と同一であってもよく、異なってもよい。開始決定部３１６は、決定結果に関する情報を利用履歴生成部２２２に通知してよい。
【００７２】
終了決定部３１８は、１以上の電気機器の少なくとも１つに対して電力の提供を終了することを決定する。例えば、終了決定部３１８は、電力提供機器リスト３３４に含まれる電気機器のうち、選定部３１４に選定されなかった電気機器に対して電力の提供を終了することを決定する。電力提供の終了時刻は、選定時刻と同一であってもよく、異なってもよい。
【００７３】
終了決定部３１８は、機器情報取得部２１４から、電気機器の電源がＯＦＦになったことを示す情報を受信してよい。上記の情報は、１以上の電気機器のそれぞれを識別する識別情報であってよい。この場合、終了決定部３１８は、受信した識別情報により識別される電気機器に対して、電力の提供を終了することを決定してよい。終了決定部３１８は、決定結果に関する情報を利用履歴生成部２２２に通知してよい。
【００７４】
本実施形態において、選定部３１４が、情報格納部２２４に格納されているエントリ機器リスト３３２に含まれる１以上の電気機器の中から、少なくとも１つの電気機器を選定する場合について説明した。しかし、選定部３１４は本実施形態に限定されない。選定部３１４は、他の供給者サイトに設置された他の管理サーバから、当該他の管理サーバによって管理される電気機器のリストを取得してよい。選定部３１４は、上記他の管理サーバにより管理される電気機器のうち、電源がＯＮになっており、上記他の供給者により電力を提供されていない機器の中から、電力を提供される電気機器を選定してもよい。
【００７５】
他の実施形態において、選定部３１４は、複数のエントリ機器リスト３３２に含まれる電気機器の中から、電力を提供される電気機器を選定してよい。複数のエントリ機器リスト３３２には、優先順位が設定されていてもよい。
【００７６】
図４は、配信部２２８の一例を概略的に示す。本実施形態において、配信部２２８は、情報収集部４１２と、広告情報格納部４１４と、抽出部４１６と、広告送信部４１８とを備える。
【００７７】
情報収集部４１２は、１以上の電気機器に関する情報及び１以上の電気機器の利用状況に関する情報の少なくとも一方を収集する。情報収集部４１２は、例えば、ユーザから入力された情報、各電気機器の製造者により提供されるＷＥＢサイト上の情報などを取得して、各電気機器の仕様に関する情報を収集する。情報収集部４１２は、例えば、利用履歴生成部２２２により生成される利用履歴を解析して、各電気機器の利用状況に関する情報を収集する。
【００７８】
広告情報格納部４１４は、１以上の広告情報を格納する。抽出部４１６は、情報収集部４１２により収集された情報に基づいて、広告情報格納部４１４に格納されている１以上の広告情報のうち、１以上の電気機器の少なくとも１つのユーザに適した情報を抽出する。広告送信部４１８は、抽出部４１６により抽出された広告情報を上記ユーザに送信する。広告送信部４１８は、上記ユーザの電気機器、上記ユーザの携帯端末などに、広告情報を送信してよい。
【００７９】
図５は、需要者端末１５２の一例を概略的に示す。本実施形態において、需要者端末１５２は、要求受信部５１２と、要求処理部５１４と、負荷管理部５１６と、消費電力格納部５１８とを備える。
【００８０】
要求受信部５１２は、管理サーバ１２２からの要求を受信する。要求受信部５１２は、管理サーバ１２２との通信インターフェースであってよい。要求処理部５１４は、要求受信部５１２により受信された要求に従って、各種の情報処理を実行する。
【００８１】
負荷管理部５１６は、需要者端末１５２と通信が確立された電気機器における電力の利用を管理する。本実施形態において、負荷管理部５１６は、電気機器１３４における消費電力量を管理する。例えば、負荷管理部５１６は、予め定められた時間間隔で、電気機器１３４の積算消費電力量を取得する。負荷管理部５１６は、取得した情報を管理サーバ１２２に送信する。負荷管理部５１６は、取得した情報を消費電力格納部５１８に格納しておき、ランダムな時間間隔で管理サーバ１２２に送信してもよい。これにより、複数の需要者サイト１０４に配された需要者端末１５２から、短期間の間に管理サーバ１２２に集中的に送信されることを防止できる。
【００８２】
負荷管理部５１６は、電気機器１３４が供給者サイト１０２により電力を提供されているか否かに関する情報を保持してもよい。これにより、負荷管理部５１６は、管理サーバ１２２からの要求を処理する場合において、上記の情報に応じて異なる処理を実行することができる。
【００８３】
一実施形態において、負荷管理部５１６は、電気機器１３４から電源がＯＦＦになったことを示す情報を受信した場合において、電気機器１３４が供給者サイト１０２により電力を提供されていることを示す情報を保持している場合には、電気機器１３４の電源がＯＦＦになったことを管理サーバ１２２に通知する前に、電気機器１３４に対して現在の積算消費電力量を通知するように要求する。これにより、負荷管理部５１６は、管理サーバ１２２に対して、電気機器１３４の電源がＯＦＦになったことと、電気機器１３４の現在の積算消費電力量とを同時に送信することができる。これにより、通信量を大幅に削減することができる。
【００８４】
他の実施形態において、負荷管理部５１６は、予め定められた時刻の到来又は予め定められた期間の経過に伴って、需要者サイト１０４における電力の利用状況に関する情報を収集する場合において、供給者サイト１０２により電力を提供されている電気機器についてのみ、当該情報を収集することができる。これにより、電気機器の情報を効率的に収集することができる。
【００８５】
本実施形態において、負荷管理部５１６は、電力量計１４４から送信された情報を受信する。負荷管理部５１６は、電力量計１４４と管理サーバ１２２との間の通信を仲介してもよい。負荷管理部５１６は、電気機器１３４及び電力量計１４４との通信インターフェースであってよい。
【００８６】
図６は、情報格納部２２４に格納されるエントリ機器リスト３３２のデータテーブル６００の一例を概略的に示す。データテーブル６００は、需要者ＩＤ６０２と、機器ＩＤ６０４と、機器ＩＤ６０４により識別される電気機器の電源の状態６０６と、当該電気機器の電力の提供状況６０８と、当該電気機器が最後にＯＮになった時刻６１０と、当該電気機器が最後にＯＦＦになった時刻６１２とに関する情報を対応付けて格納する。
【００８７】
図７は、情報格納部２２４に格納される電力提供機器リスト３３４のデータテーブル７００の一例を概略的に示す。データテーブル７００は、需要者ＩＤ７０２と、機器ＩＤ７０４と、機器ＩＤ７０４により識別される電気機器に対して電力の提供が開始された時刻７０６と、当該電気機器に対する電力の提供が終了した時刻７０８と、時刻７０６から時刻７０８の間に消費された電力量７１０と、時刻７０６から時刻７０８の間に提供された電力の単価７１２とに関する情報を対応付けて格納する。これにより、同一の需要者サイト１０４に対して複数の供給者サイトからの電力が供給される場合であっても、各供給サイトから提供されたとみなされる電力を特定することができる。
【００８８】
図８は、データテーブル８００の一例を概略的に示す。データテーブル８００は、エントリ機器リスト３３２の他の例であってよい。データテーブル８００は、電源がＯＮになっている電気機器の情報を格納する。データテーブル８００は、需要者ＩＤ８０２と、機器ＩＤ８０４と、機器ＩＤ８０４により識別される電気機器が最後にＯＮになった時刻８０６とを対応付けて格納する。
【００８９】
図９は、データテーブル９００の一例を概略的に示す。データテーブル９００は、電力提供機器リスト３３４の他の例であってよい。データテーブル９００は、供給者サイト１０２により電力が提供されている電気機器の情報を格納する。データテーブル９００は、需要者ＩＤ９０２と、機器ＩＤ９０４と、機器ＩＤ９０４により識別される電気機器に対して電力の提供が開始された時刻９０６とを対応付けて格納する。
【００９０】
図１０は、情報格納部２２４に格納されている機器情報データベース３３６のデータテーブル１０００の一例を概略的に示す。データテーブル１０００は、需要者ＩＤ１００２と、機器ＩＤ１００４と、機器ＩＤ１００４により識別される機器の仕様情報１００６と、当該機器の統計情報１００８とを対応付けて格納する。上記の仕様情報１００６は、各電気機器の製造者１０６２、型番１０６４、定格消費電力１０６６などに関する情報を含む。統計情報１００８は、各電気機器の利用状況を解析して得られた統計情報であってよい。統計情報１００８は、各電気機器の平均消費電力１０８２、平均利用時間１０８４、時間帯ごとの利用確率１０８６などに関する情報を含んでよい。
【００９１】
図１１は、管理サーバ１２２における処理の一例を概略的に示す。本実施形態によれば、ステップ１１０２（ステップをＳと省略する場合がある。）において、イベント検出部３１２が、予め定められたイベントの発生を検出する。Ｓ１１０４において、電力提供管理部２１６の選定部３１４が、供給者サイト１０２により供給することができる電力に応じて、エントリ機器リスト３３２に含まれる電気機器のうち、データテーブル６００の電源の状態６０６に電源がＯＮになっていることを示す情報が付与されている電気機器の中から、供給者サイト１０２により電力を提供される電気機器を選定する。より具体的には、当該電気機器に供給される電力が、供給者サイト１０２により提供されるものとして扱われる電気機器を選定する。
【００９２】
Ｓ１１０６において、選定部３１４は、エントリ機器リスト３３２を参照して、今回の選定において選定された電気機器のうち、データテーブル６００の電力の提供状況６０８に電力の提供状況が「未提供」であることを示す情報が付与されている電気機器の識別情報を抽出する。選定部３１４は、抽出された識別情報を開始決定部３１６に通知する。当該通知を受領した開始決定部３１６は、当該通知に含まれる識別情報で識別される電気機器に対して電力の提供を開始することを決定する。
【００９３】
同様に、選定部３１４は、エントリ機器リスト３３２を参照して、データテーブル６００の電力の提供状況６０８に電力の提供状況が「提供中」であることを示す情報が付与されている電気機器のうち、今回の選定において選定されなかった電気機器の識別情報を抽出する。選定部３１４は、抽出された識別情報を終了決定部３１８に通知する。当該通知を受領した終了決定部３１８は、当該通知に含まれる識別情報で識別される電気機器に対する電力の提供を終了することを決定する。選定部３１４は、選定結果に基づいて、データテーブル６００の電力の提供状況６０８を更新してよい。開始決定部３１６及び終了決定部３１８は、決定結果に基づいて、データテーブル６００の電力の提供状況６０８を更新してよい。
【００９４】
Ｓ１１０６において、要求送信部２１８は、供給者サイト１０２による電力の提供を終了することが決定された電気機器に対して、供給者サイト１０２により電力が提供されていた期間における消費電力量を決定するための処理を実行させるための要求を生成する。要求送信部２１８は、上記の電気機器に、生成した要求を送信する。このとき、要求送信部２１８は、供給者サイト１０２による電力の提供を開始することが決定された電気機器に対して、将来、消費電力量を決定するために必要となる処理を実行させるための要求を生成してもよい。要求送信部２１８は、上記の電気機器に生成した要求を送信してよい。
【００９５】
Ｓ１１０８において、利用履歴生成部２２２は、開始決定部３１６及び終了決定部３１８のそれぞれから、決定結果に関する情報を取得する。利用履歴生成部２２２は、取得した情報に基づいて、電力提供機器リスト３３４を更新してよい。
【００９６】
このように、管理サーバ１２２は、供給者サイト１０２により供給することができる電力に応じて、電力を提供する１以上の電気機器を選定した後、１以上の電気機器に電力を提供する。これにより、供給者サイト１０２の電力供給曲線と、需要者サイト１０４における電力需要曲線との乖離を小さくすることができる。
【００９７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。また、各実施形態において、各ステップを実施する順序及びタイミングは、技術的に矛盾が生じない範囲において、適宜、変更することができる。さらに、技術的に矛盾が生じない範囲において、Ａ又はＢという事項を、Ａ及びＢの少なくとも一方と読み替えてもよい。その様な変更または改良を加えた形態も本発明の技術的範囲に含まれ得ることが、特許請求の範囲の記載から明らかである。
【００９８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
［項目１］
通信ネットワークを介して、電源がＯＮになっている１以上の負荷装置又は上記１以上の負荷装置の電力消費状況を管理する管理装置から、上記１以上の負荷装置のそれぞれの識別情報を取得する情報取得部と、
上記１以上の負荷装置に提供可能な電力量に基づいて、上記識別情報により識別される上記１以上の負荷装置の中から、電力を提供される少なくとも１つの負荷装置を選定する選定部と、
上記選定部により選定された負荷装置の少なくとも１つに対して電力の提供を開始することを決定する開始決定部と、
上記１以上の負荷装置の少なくとも１つに対して電力の提供を終了することを決定する終了決定部と、
上記終了決定部により上記電力の提供を終了することが決定された負荷装置又は上記管理装置に対して、上記電力の提供を終了することが決定された負荷装置に電力が提供されていた期間に消費された電力量を決定するための処理を実行させるための要求を送信する要求送信部と、
を備える、
電力管理システム。
［項目２］
上記情報取得部は、上記１以上の負荷装置の少なくとも１つの電源がＯＦＦになった場合に、電源がＯＦＦになった負荷装置の識別情報を取得し、
上記終了決定部は、上記電源がＯＦＦになった負荷装置の識別情報により識別される負荷装置に対して電力の提供を終了することを決定する、
項目１に記載の電力管理システム。
［項目３］
上記要求送信部は、上記開始決定部により上記電力の提供を開始することが決定された負荷装置又は上記管理装置に対して、上記電力の提供を開始することが決定された負荷装置に電力が提供されていた期間に消費した電力量を決定するための処理を実行させるための要求を送信する、
項目１又は項目２に記載の電力管理システム。
［項目４］
予め定められたイベントの発生を検出するイベント検出部を更に備え、
上記選定部は、上記イベント検出部が上記予め定められたイベントの発生を検出した場合に、上記電力が提供される少なくとも１つの負荷装置を選定する、
項目１から項目３までの何れか一項に記載の電力管理システム。
［項目５］
上記１以上の負荷装置のそれぞれの識別情報と、上記選定部により選定されていた期間に関する情報と、上記期間における電力消費量と、上記期間における電力の単価とが対応付けられた利用履歴を格納する利用履歴格納部を更に備える、
項目１から項目４までの何れか一項に記載の電力管理システム。
［項目６］
発電事業者から電力を調達する電力調達部を更に備え、
上記選定部は、上記電力調達部が調達することのできる電力量を含む、上記１以上の負荷装置に提供可能な電力量に基づいて、上記電力が提供される少なくとも１つの負荷装置を選定する、
項目１から項目５までの何れか一項に記載の電力管理システム。
［項目７］
上記１以上の負荷装置に関する情報及び上記１以上の負荷装置の利用状況に関する情報の少なくとも一方を収集する情報収集部と、
１以上の広告情報を格納する広告情報格納部と、
上記情報収集部により収集された情報に基づいて、上記１以上の広告情報のうち、上記１以上の負荷装置の少なくとも１つのユーザに適した情報を抽出する抽出部と、
抽出部により抽出された広告情報を上記ユーザに送信する広告送信部と、
を更に備える、
項目１から項目６までの何れか一項に記載の電力管理システム。
［項目８］
上記管理装置を更に備える、
項目１から項目７までの何れか一項に記載の電力管理システム。
［項目９］
コンピュータを、項目１から項目７までの何れか一項に記載の電力管理システムとして機能させるためのプログラム。
【符号の説明】
【００９９】
１２  通信ネットワーク、  １４  電力ネットワーク、  １００  管理システム、  １０２  供給者サイト、  １０４  需要者サイト、  １２２  管理サーバ、  １２４  電力供給装置、  １３２  電気機器、  １３４  電気機器、  １４２  分電装置、  １４４  電力量計、  １５２  需要者端末、  １５４  ゲートウェイ、  ２１２  供給量予測部、  ２１４  機器情報取得部、  ２１６  電力提供管理部、  ２１８  要求送信部、  ２２２  利用履歴生成部、  ２２４  情報格納部、  ２２６  電力融通部、  ２２８  配信部、  ３１２  イベント検出部、  ３１４  選定部、  ３１６  開始決定部、  ３１８  終了決定部、  ３３２  エントリ機器リスト、  ３３４  電力提供機器リスト、  ３３６  機器情報データベース、  ３３８  選定条件、  ４１２  情報収集部、  ４１４  広告情報格納部、  ４１６  抽出部、  ４１８  広告送信部、  ５１２  要求受信部、  ５１４  要求処理部、  ５１６  負荷管理部、  ５１８  消費電力格納部、  ６００  データテーブル、  ６０２  需要者ＩＤ、  ６０４  機器ＩＤ、  ６０６  状態、  ６０８  提供状況、  ６１０  時刻、  ６１２  時刻、  ７００  データテーブル、  ７０２  需要者ＩＤ、  ７０４  機器ＩＤ、  ７０６  時刻、  ７０８  時刻、  ７１０  電力量、  ７１２  単価、  ８００  データテーブル、  ８０２  需要者ＩＤ、  ８０４  機器ＩＤ、  ８０６  時刻、  ９００  データテーブル、  ９０２  需要者ＩＤ、  ９０４  機器ＩＤ、  ９０６  時刻、  １０００  データテーブル、  １００２  需要者ＩＤ、  １００４  機器ＩＤ、  １００６  仕様情報、  １００８  統計情報、  １０６２  製造者、  １０６４  型番、  １０６６  定格消費電力、  １０８２  平均消費電力、  １０８４  平均利用時間、  １０８６  利用確率
【要約】
【課題】複数の電力供給者が存在する場合において、特定の電力機器に電力を提供する電力供給者を管理する。
【解決手段】１以上の負荷装置のそれぞれの識別情報を取得する情報取得部と、識別情報により識別される１以上の負荷装置の中から、電力を提供される少なくとも１つの負荷装置を選定する選定部と、選定部により選定された負荷装置の少なくとも１つに対して電力の提供を開始することを決定する開始決定部と、選定部により選定された負荷装置の少なくとも１つに対して電力の提供を終了することを決定する終了決定部と、終了決定部により電力の提供を終了することが決定された負荷装置又は管理装置に対して、電力の提供を終了することが決定された負荷装置に電力が提供されていた期間に消費された電力量を決定するための処理を実行させるための要求を送信する要求送信部とを備える。
【選択図】図２【図１】
0005576977.tif 000002
【図２】
0005576977.tif 000003
【図３】
0005576977.tif 000004
【図４】
0005576977.tif 000005
【図５】
0005576977.tif 000006
【図６】
0005576977.tif 000007
【図７】
0005576977.tif 000008
【図８】
0005576977.tif 000009
【図９】
0005576977.tif 000010
【図１０】
0005576977.tif 000011
【図１１】
0005576977.tif 000012